(57)【要約】      （修正有）【課題】括りワナを仕掛ける場合に地面に静置して穴を掘る必要が無く、安全でかけ易く、仕掛け糸を高く張って猟犬を括らない括りワナの提供。【解決手段】パイプに内装する引きバネ2をパイプバネ留めボルト11でパイプ端方を、その反対側のワイヤ−1をワイヤ−留めボルト11で留め置く。パイプ内に挿通するワイヤ−１をバネに抗して引き、ワイヤ−１に取り付けた倒立ストッパ−８を引き出しパイプ3を押し付けて跳ね上げバネ4の先端にある係止9に押し込む。跳ね上げキ−10に結ぶ仕掛け糸を任意高さに張り獲物の接触で跳ね上げキ−１０が上方に引かれると跳ね上げバネ4が弾く。括り輪部７端方が倒立ストッパー８長さ分上昇すると倒立ストッパ−８の係止９が外れ、緊張する引きバネ2により一気に倒立ストッパ−8とこれに固定するワイヤ−１がパイプ内に引き込まれ括り輪部7が縮径して獣脚を括る。【選択図】図１
2014223025.tif 000002
【特許請求の範囲】
【請求項１】
バネに挿通するワイヤ−に取り付けたストッパ−を有しストッパ−の長さが括り輪部の縮径を開始する地上高さを決定する括りワナ
【請求項２】
ワイヤ−にバネの動、停を制する倒立ストッパ−を有する1記載の括りワナ
【請求項３】
マツバのあるホ−ク爪に括り輪部を載せて跳ね上げる機構でストッパ−の係止を自動解除する1〜2記載の括りワナ
【発明の詳細な説明】
【技術分野】
【０００１】
本発明は山野を掘ることなく地面に静置し薄く複土して獲物に気付かれず捕獲率を上げ、猟犬を括らず安全な括り罠に関するものである。
【背景技術】
【０００２】
括りワナを設置する場合踏み込み板や括り輪部を締付けるバネを収納したパイプ等を地中に埋め込む必要があった。
山野の土は岩石や木や草の根がはびこり穴を掘るのは一苦労であり土の埋め戻しや始末などの手間がかかっている。撤去する時掘った穴を放置するため苦情があり山野の環境への影響を危ぶむ声もある。ねじりバネを使用する例でははじきが強く怪我をするなどの危険がある。錯誤捕獲の配慮がなされず猟犬が括られ裁判沙汰の話も聞く。
【先行技術文献】
【特許文献】
【０００３】
【特許文献１】特願２００５-１１６５９１獣捕獲罠特願2005-215277獣捕獲用脚括り罠実願2011-5837括り罠用押しバネ式締付装置特願2005-215277獣捕獲用脚括り罠
【発明の概要】
【発明が解決しようとする課題】
【０００４】
埋め込み型の括りワナのように山野に穴を掘ることなく地面に静置する方法。
仕掛け糸を任意高さにして猟犬を括らない配慮。使用するバネをパイプに内装、又はワイヤ−を挿通してかけ易くして安全確保。仕掛け物の高さを小さくして落ち葉や覆土などで露出をなくし易くして獲物の気付きを防ぎ捕獲率をあげる方法。
【課題を解決するための手段】
【０００５】
跳ね上げ括りワナは地面に静置できるように、仕掛け部と跳ね上げ部よりなり仕掛け部のワイヤ−に倒立ストッパ−を有し跳ね上げ部のホ−ク爪のマツバに括り輪部を載せる。仕掛け部に跳ね上げバネをを取り付けた一体型もある。倒立ストッパ−の長さで括り輪部の縮径を開始する高さを決定して跳ね上がりでワイヤ−の係止を自動解除する。跳ね上げキ−の解除は枯木を立て仕掛け糸を結んで張るか仕掛け糸を跳ね上げキ-に直接結んで獣が地上高く張った糸を引っ掛けて解除するので猟犬を括らない配慮を完成。引きバネをパイプに内装しコイルバネはワイヤ−を挿通して安全と掛け易さを確保した。
【発明の効果】
【０００６】
山野に穴をほることなく括りワナを設置できるので土を掘る労力や埋め戻し、土の始末などの手間が省け設置や撤去が簡単である。
近年埋め込み型の括りワナが増えて山野に穴を掘って埋め戻さず放置し苦情が発生しているがこのようなことがおきない。
又猟犬を括る事件も増えているが仕掛け糸を猟犬より高く仕掛けることで回避できる。使用するバネがコイルバネや引きバネでパイプに内装又はワイヤ−を挿通するなどしてねじりバネのような強いはじきがなく安全で、柔軟なバネのためかけ易い。仕掛け物の高さが小さいので落ち葉などを被せて露出をなくし獲物に気付かれず捕獲率を向上さす。
【図面の簡単な説明】
【０００７】
【図１】3仕掛け部パイプに2引きバネを収納して筒体内に1ワイヤ−を挿通し付勢力に抗して引き込まれようと緊張する1ワイヤ−に8倒立ストッパ−を有しその27凸部が9係止して7括り輪部を6ホ−ク爪の5マツバに乗せて、跳ね上げバネの緊張を10跳ね上げキ−で解除する直前の図である。跳ね上げキ−は枯木や13仕掛け糸で操作する。
【図２】13仕掛け糸が獲物で引掛けられ4跳ね上げバネが解除されて仕掛け部端方が跳ね上がり8倒立ストッパ−が9係止を外れ3仕掛け部 パイプ内に引きずり込まれ、14獣の脚を7括り輪部が縮径している図。括り輪部の地上高さは8倒立ストッパ−長さと同じかそれよりも高くなる。
【図３】16跳ね上げ部パイプ内に17引きバネと18シャフトを装填し18シャフトに6ホ−ク爪と5マツバを取り付けた図、その上に7括り輪部を載せ17引きバネで緊張する1ワイヤ−に取り付けた8倒立ストッパ−を19パイプ係止に入れ18シャフトとともに下に押し下げて22掛け金に掛ける図である。
【図４】18シャフトの21凸部が22係金を外れ跳ね上った図。同時に26コイルバネの7括り輪部が跳ね上げられ8倒立ストッパ−が26コイルバネに収納して括り輪部が縮径し獲物を捕獲している図。
【図５】23ア−ムを持つ跳ね上げ部で24引きバネの収縮でＸ状に組んだア−ムに取り付けた5マツバの付いた6ホ−ク爪を跳ね上げる。25安定板は中央が窪んでいて各種仕掛け部を乗せる台になる。端方は遊離している。
【実施例】
【０００８】
本発明の図2と図4は獲物を捕獲したときの実施例で図1、図3は一部断面を含む図である。図5は１−３図とは形態が異なる跳ね上げ部で跳ね上がる状態を示したものであり図4の26コイルバネ仕掛け部や図２の4跳ね上げバネを取り除いた3パイプ仕掛け部を2個同時に仕掛けることができる。
【産業上の利用可能性】
【０００９】
この括りワナは括り輪部を地面にそのまま置く静置型で設置に土を掘る必要がない。埋め込み型のように山野に穴を掘る必要も無いので環境への配慮もできて掘る労力や埋め戻し、土の始末などの手間が省け設置や撤去が簡単であることから山野を荒らさないことや使用者の負担を極力軽減できる。仕掛け糸位置を高くすることで猟犬の錯誤捕獲も防止する。使用するバネがパイプに内装したりコイルバネはワイヤ−を挿通しているためねじりバネのような危険なはじきが無くかけ易く安全である。跳ね上げ部の高さが小さいため落ち葉や複土で仕掛け物の露出を無くすことが容易で獣に気付かれず捕獲率を上げることが出来る。
【符号の説明】
【００１０】
１    ワイヤ−
２    引きバネ
3    パイプ仕掛け部
4    跳ね上げバネ
5    マツバ
6    ホ−ク爪
7    括り輪部
8    倒立ストッパ−
9    係止
10  跳ね上げキ−
11  パイプバネ留めボルト
12  ワイヤ−バネ留めボルト
13  仕掛け糸
14  獣脚
15  倒立ストッパ−凸部
16  跳ね上げ部パイプ
17  シャフト引きバネ
18  シャフト
19  パイプ係止
20  ワイヤ−止
21  シャフト凸部
22  パイプ掛金
23  ア−ム
24  ア−ム引きバネ
25  安定板
26  コイルバネ仕掛け部
２７  倒立ストッパ−凸部
【図１】
2014223025.tif 000003
【図２】
2014223025.tif 000004
【図３】
2014223025.tif 000005
【図４】
2014223025.tif 000006
【図５】
2014223025.tif 000007